(57)【要約】【課題】メディアデータサーバーからの画像信号を高画質リンクで視聴する際、全体として最良の鮮鋭化処理経路を自動的に構築する。【解決手段】本実施形態では、画像信号を受信するインターフェースと、前記画像信号を第１の鮮鋭化処理で鮮鋭化した第１の画像信号に変換し、この第１の画像信号をさらに第２の鮮鋭化処理で鮮鋭化した第２の画像信号に変換する信号処理部と、前記信号処理部を制御する制御部を有する。そして前記制御部は、外部機器から画像信号の入力を受け付ける状態に選択されている場合、前記信号処理部を第１の状態に切換えて、当該画像信号に対して前記第１の鮮鋭化処理を行うことなく前記第２の鮮鋭化処理を行なうよう制御する切換部を有する。【選択図】図５
2013051648.tif 000002
【特許請求の範囲】
【請求項１】
画像信号を受信するインターフェースと、
前記画像信号を第１の鮮鋭化処理で鮮鋭化した第１の画像信号に変換し、この第１の画像信号をさらに第２の鮮鋭化処理で鮮鋭化した第２の画像信号に変換する信号処理部と、
前記信号処理部を制御する制御部を有し、
前記制御部は、
外部機器から画像信号の入力を受け付ける状態に選択されている場合、前記信号処理部を第１の状態に切換えて、当該画像信号に対して前記第１の鮮鋭化処理を行うことなく前記第２の鮮鋭化処理を行なうよう制御する切換部を有した画像処理装置。
【請求項２】
前記画像信号の映像処理モードの選択をユーザに許可する選択手段を更に備え、
前記制御手段は、前記選択手段にて選択された映像処理モードに応じて、画像信号に対して前記第１の鮮鋭化処理を行うことなく前記第２の鮮鋭化処理を行なうよう制御する請求項１に記載の画像処理装置。
【請求項３】
前記第１の鮮鋭化処理は第１の超解像処理であり、前記第２の鮮鋭化処理は前記第１の超解像処理とは異なる第２の超解像処理である請求項２記載の画像処理装置。
【請求項４】
前記切換部は、映像処理モードの設定画面で第１の項目が選択された場合、前記信号処理部を前記第１の状態に切換え、前記画像信号を前記第２の鮮鋭化処理して４：４：４のフォーマットの前記第２の画像信号に変換させる請求項１記載の画像処理装置。
【請求項５】
前記切換部は、映像処理モードの設定画面で第２の項目が選択された場合、前記信号処理部を第２の状態に切換え、前記画像信号を前記第１の鮮鋭化処理して第１フォーマットである４：２：２の第１の画像信号に変換し、この第１の画像信号をさらに前記第２の鮮鋭化処理して第２フォーマットである４：４：４の第２の画像信号に変換させる請求項１記載の画像処理装置。
【請求項６】
前記第２の鮮鋭化処理は、再構成型超解像処理を含む請求項２乃至請求項５のいずれかに記載の画像処理装置。
【請求項７】
前記第１の画像信号は第１の信号フォーマットであり、
前記第２の画像信号は、前記第１の信号フォーマットとは異なる第２のフォーマットである請求項１記載の画像処理装置。
【請求項８】
前記第１の信号フォーマットは、４：２：２の信号フォーマットであり、
前記第２の信号フォーマットは、４：４：４の信号フォーマットである請求項７記載の画像処理装置。
【請求項９】
メディアデータサーバーが、サーバー側の入力画像信号を第１の鮮鋭化処理で鮮鋭化したサーバー側第１の画像信号を生成し、このサーバー側第１の画像信号をさらに第２の鮮鋭化処理で鮮鋭化したサーバー側第２の画像信号に変換するサーバー側信号処理部と、前記サーバー側信号処理部を制御するサーバー側制御部を有し、
前記メディアデータサーバーからの入力画像信号を受けつけるインターフェースと、
前記入力画像信号を第１の鮮鋭化処理で鮮鋭化した受信側第１の画像信号に変換し、この受信側第１の画像信号をさらに第２の鮮鋭化処理で鮮鋭化した受信側第２の画像信号に変換する受信側信号処理部と、
前記受信側信号処理部を制御する受信側制御部を有し、
前記受信側制御部は、
外部機器から画像信号の入力を受け付ける状態に選択されている場合、前記信号処理部を第１の状態に切換えて、前記受け付けた画像信号を前記第１の鮮鋭化処理を行うことなく前記第２の鮮鋭化処理を行なうよう制御する切換部と、
前記メディアサーバーに向けて、該メディアデータサーバーでの鮮鋭化の処理形態を指示する通知信号を出力する高画質リンク指令部を有する画像処理装置。
【請求項１０】
前記インターフェースは、ＨＤＭＩ（ハイ・ディフィニション・マルチメディア・インターフェース）規格に属する規格であり、
前記インターフェースが選択されたときに、画質モードの設定画面に高画質リンクの設定を許すメニューを表示するメニュー画面処理部をさらに有する請求項９記載の画像処理装置。
【請求項１１】
前記メディアデータサーバーが、前記通知信号に応答して処理した、前記サーバー側画像信号を出力している場合、前記受信側信号処理部は、前記サーバー側画像信号を再構成型超解像処理により鮮鋭化した前記受信側第２の画像信号に変換する請求項９記載の画像処理装置。
【請求項１２】
前記サーバー側画像信号は、数ＬＳＢの微小振幅の画像信号のみ再構成されており、前記受信側信号処理部の再構成型超解像処理は、前記サーバー側画像信号の前記数ＬＳＢ以上の振幅の画像信号を処理する請求項１１記載の画像処理装置。
【請求項１３】
前記受信側信号処理部の再構成型超解像処理は、前記サーバー側画像信号の全振幅の画像信号を処理する請求項１１記載の画像処理装置。
【請求項１４】
入力画像信号を受け付けるインターフェースを有し、第１の鮮鋭化処理で鮮鋭化した第１の画像信号に変換し、この第１の画像信号をさらに第２の鮮鋭化処理で鮮鋭化した第２の画像信号に変換する信号処理部を有し、前記信号処理部を制御する制御部を有する画像処理装置の制御方法において、
前記制御部は、外部機器から画像信号の入力を受け付ける状態に選択されている場合、前記信号処理部を第１の状態に切換えて、当該画像信号に対して前記第１の鮮鋭化処理を行うことなく前記第２の鮮鋭化処理を行なうよう制御する画像処理装置の制御方法。
【発明の詳細な説明】
【技術分野】
【０００１】
この発明は、画像処理装置及び画像処理装置の制御方法に関する。
【背景技術】
【０００２】
近年、高解像度変換部を備えたテレビジョン受信装置及び画像信号再生装置が普及している。高解像度変換技術は、第１の画像信号（第１の解像度）が持つ画素周辺の仮想画素の値を推定し、第１の画像信号の画素数よりも画素数の多い第２の画像信号（第２の解像度）を生成する鮮鋭化処理技術である。また鮮鋭化処理技術には、第１の画像信号（第２の解像度）が持つ画素値の本来の値を推定し、第１の画像信号の画素値を補正して第２の画像信号（同じく第２の解像度）を生成する技術も含まれる場合がある。
【０００３】
上記した高解像度変換部が、画像信号再生装置（例えばＤＶＤプレーヤ、ＢＤプレーヤ、セットトップボックス）とテレビジョン受信装置の両方に装備された場合、両者を接続したときに問題が生じる。即ち、画像信号再生装置の出力画像信号がテレビジョン受信装置に入力され処理されると、二重の高解像度変換が施されることになる。この場合、ノイズや映像輪郭が異様に強調され、映像品質を劣化させることがある。このような問題を解決するために、画像信号再生装置とテレビジョン受信装置が双方向通信機能で互に情報を交換し、一方が高解像度処理を実施し、他方が高解像処理を弱めるシステムも開発されている。
【０００４】
また、リンク可能な外部機器（例えば高品位の画像信号を出力する画像信号再生装置）が接続されたことをテレビジョン受信装置が検出した場合、当該テレビジョン受信装置側では、ユーザが自由に画質モード（ピュアモード、ノーマルモードなど）を選択できるようにした技術も開発されている。
【先行技術文献】
【特許文献】
【０００５】
【特許文献１】特開２０１０−５４９０４０号公報
【特許文献２】特開２０１０−２５１９８８号公報
【発明の概要】
【発明が解決しようとする課題】
【０００６】
上記した従来の技術では、リンク可能な対応機器が接続されていることをテレビジョン受信装置が検出すると、このテレビジョン受信装置は、画質モードを設定可能な状態に移行する。しかし最近ではテレビジョン受信装置に対してリンク可能な各種の外部機器を接続可能となっている。そのため、リンク可能な例えばオーディオ増幅器などの各種の登録機器が接続された場合、誤動作をすることがありその対応が要求されている。
【０００７】
そこで、本実施形態では、サーバー或いは情報再生装置（メディアデータサーバー）からの画像信号を高画質モードで視聴可能な環境の中でユーザが視聴目的で指定できる高画質リンク機能を設け、高画質リンクが指定された場合に、全体として最良の鮮鋭化処理経路を自動的に構築する画像処理装置及び画像処理装置及び画像処理装置の制御方法を提供することを目的とする。
【課題を解決するための手段】
【０００８】
本実施形態では、画像信号を受信するインターフェースと、前記画像信号を第１の鮮鋭化処理で鮮鋭化した第１の画像信号に変換し、この第１の画像信号をさらに第２の鮮鋭化処理で鮮鋭化した第２の画像信号に変換する信号処理部と、前記信号処理部を制御する制御部を有する。そして前記制御部は、外部機器から画像信号の入力を受け付ける状態に選択されている場合、前記信号処理部を第１の状態に切換えて、当該画像信号に対して前記第１の鮮鋭化処理を行うことなく前記第２の鮮鋭化処理を行なうよう制御する切換部を有する。
【図面の簡単な説明】
【０００９】
【図１】実施形態である画像処理装置の全体的な構成の一例を示すである。
【図２】図１に示した画像処理装置を簡略化し、制御部の内部の例を詳しく示した図である。
【図３】画質設定用のメニュー画面の例を示す図である。
【図４】高画質リンクを設定するときの制御部３３０における手順を示すフローチャートである。
【図５】図１に示した画像処理装置において、信号処理部の処理ルーチンが高画質リンクを形成したときの例を示す図である。
【発明を実施するための形態】
【００１０】
以下、実施の形態について図面を参照して説明する。図１の上段には、サーバー或いは情報再生装置（メディアデータサーバーと称する）１００のブロック構成を示し。下段には、テレビジョン受信装置３００のブロック構成を示している。
【００１１】
メディアデータサーバー１００側の構成から説明する。１０５は、外部接続機器であり、端子１０４を介してＨＤＭＩ（High Definition Multimedia Interface）データ処理器１０３に接続されている。ＨＤＭＩデータ処理器１０３で取得された画像信号は、セレクタ１１２に供給され、制御データ（通知信号あるいはコマンドなど）は、制御部１３０に供給される。１０２は、チューナ、光ディスク再生装置、ハードディスクドライブなどのメディア再生装置であり、この再生装置からの再生信号は、例えばＭＰＥＧ（Moving Picture Experts Group）デコーダ１０１に入力されてデコードされる。ＭＰＥＧデコーダ１０１でデコードされた画像信号は、セレクタ１１２に入力される。
【００１２】
セレクタ１１２は、制御部１３０の制御に基づいて、入力画像信号の何れかを選択して画像の鮮鋭化を行う信号処理器１１０に供給する。信号処理器１１０は大きく分類すると、例えば４：２：２フォーマットで画像信号を第１の鮮鋭化処理するブロック１１０Ａと、このブロック１１０Ａの出力画像信号を例えば４：４：４フォーマットで第２の鮮鋭化処理するブロック１１０Ｂを有する。
【００１３】
ブロック１１０Ａは、セレクタの出力が供給されるノイズ低減及び補間（以下ＮＲ／ＩＰと記す）変換部１１３と、このＮＲ／ＩＰ変換部１１３の出力を処理する超解像処理部１１４を含む。
【００１４】
超解像処理部１１４で超解像化された画像信号は、ブロック１１０Ｂの再構成型超解像処理部１１６に入力する。再構成型超解像処理部１１６で処理された画像信号は、スケーラ１１７に入力されてスケール調整され、バックエンドプロセッサ１１８を介して出力される。バックエンドプロセッサ１１８からの出力画像信号は、ＨＤＭＩデータ処理器１２１、ＨＤＭＩ端子１２２を介してＨＤＭＩケーブルを通り、テレビジョン受信装置３００のＨＤＭＩ端子３０４に入力する。ＨＤＭＩ端子３０４からの画像信号は、セレクタ３１２に入力する。
【００１５】
上記のＨＤＭＩは、画像信号を輝度（Ｙ）、色差信号（Ｃｒ，Ｃｂ）で、輝度（Ｙ）の垂直解像度１０８０画素（＝１０８０ｐ）で伝送するバージョンである。
【００１６】
テレビジョン受信装置３００においても、内蔵あるいは外付けのチューナ、光ディスク再生装置、ハードディスクドライブなどのメディア再生装置３０２が設けられている。このメディア再生装置３０２からの再生信号は、ＭＰＥＧ（Moving Picture Experts Group）デコーダ３０１に入力されてデコードされる。ＭＰＥＧデコーダ３０１でデコードされた画像信号は、セレクタ３１２に入力される。
【００１７】
セレクタ３１２は、制御部３３０の制御に基づいて、入力画像信号の何れかを選択して画像の鮮鋭化を行う信号処理器３１０に供給する。信号処理器３１０は大きく分類すると、例えば４：２：２フォーマットで画像信号を第１の鮮鋭化処理するブロック３１０Ａと、このブロック３１０Ａの出力画像信号を例えば４：４：４フォーマットで第２の鮮鋭化処理するブロック３１０Ｂを有する。
【００１８】
ブロック３１０Ａは、セレクタの出力が供給されるノイズ低減及び補間（以下ＮＲ／ＩＰと記す）変換部３１３と、このＮＲ／ＩＰ変換部３１３の出力を処理する超解像処理部１１４を含む。
【００１９】
超解像処理部３１４で超解像化された画像信号は、ブロック３１０Ｂの再構成型超解像処理部３１６に入力する。再構成型超解像処理部３１６で処理された画像信号は、スケーラ３１７に入力されてスケール調整され、バックエンドプロセッサ３１８を介して出力される。バックエンドプロセッサ３１８の出力は、表示器４００に入力される。バックエンドプロセッサ３１８は、例えば画質調整を行なう。画質調整としては、ホワイトバランスの調整、シャープネス調整などが行なわれる。さらには、画像エッジのシェーディング、多階調処理のためのディザ処理、魔方陣処理が行われる場合がある。この処理は、液晶表示器が用いられた場合に階調表現を豊富にする上で有効である。
【００２０】
上記の各ブロックの近くに示されているビット数は、それぞれのブロックが対応可能な１画素のビット数である。
【００２１】
図２は、図１の構成を大きなブロックでまとめて示している。そして、制御部１３０と３３０の機能をブロック化して示している。制御部１３０と制御部３３０には、それぞれ相互認証のための信号を送受信したり、コマンドを送受信したり、応答信号など所謂通知信号を送受信するための送受信部１３０ａ，３３０ａが設けられる。また制御部１３０と制御部３３０には、それぞれ信号処理器３１０の信号処理経路を切り換えることができる処理ルーチン切換部１３０ｃ，３３０ｃが設けられる。処理ルーチン切換部１３０ｃ，３３０ｃには、メディアサーバー１００とテレビジョン受信装置３００の連携が、高画質リンクの関係である場合に適した切換を行う高画質リンク系と、該連携がモニタ関係である場合に適した切換を行うモニタ系と、該連携がノーマル関係である場合に適した切換を行うノーマル系が含まれている。
【００２２】
また、テレビジョン受信装置３００の制御部３３０には、メニュー画面処理部３３０ｄも含まれる。さらに制御部３３０には、高画質リンク指令部３３０ｅが設けられている。この高画質リンク指令部３３０ｅは、メディアデータサーバーと受信装置が、所定の規格に準拠するインターフェース（１０８０ｐＨＤＭＩ）で接続されている場合に有効となるそして、この高画質リンク指令部３３０ｅは、視聴目的のための外部操作（後述するメニュー画面からの操作）に応じて起動し、メディアデータサーバー１００へ送信するためのコマンドを出力する。このコマンドは送受信部３３０ａを介して出力される。このコマンドは、後でも説明するが、超解像処理部１１４の出力画像信号が再構成型超解像処理部１１６で再構成されることなく、スケーラ１１７でスケール変換されて４：４：４フォーマットの画像信号で出力されるように設定することができる。
【００２３】
今、メディアサーバー１００とテレビジョン受信装置３００が、１０８０ｐＨＤＭＩの端子が選択されて接続されているものとする。この接続が行われた場合、メディアサーバー１００とテレビジョン受信装置３００は、相互認証により、インターフェースの種類及び規格を把握している。また、このときテレビジョン受信装置３００の制御部３３０は、１０８０ｐ画質モードの画像信号がＨＤＭＩを通して入力することを認識する。
【００２４】
従って、画像又は映像設定メニューにおいて画質モードの選択が行われると、メニュー画面処理部３３０ｄは、図３に示すようなメニュー画面４００aを表示器４００に表示させる。このメニュー画面４００ａには、「１０８０ｐ画質モード」項目が含まれる。
【００２５】
メディアサーバー１００とテレビジョン受信装置３００の接続において、１０８０ｐＨＤＭＩの端子が選択されていない場合は、メニュー画面４００ａには、「１０８０ｐ画質モード」項目は表示されないか、選択できないようになっている。
【００２６】
この選択手段つまりメニュー画面４００ａにおいて、ユーザがリモートコントローラ操作により、該項目をカーソルで選択して決定ボタンを押す。すると、画面が切換り、この画面４００ｂには「オート」、「モニタ」、「ノーマル」という項目（設定ボタン或いは選択ボタンと称してもよい）が表示される。
【００２７】
今ユーザが、メディアデータサーバーからの画像信号の視聴を行うために「オート」という項目を選択して決定ボタンを押すと、このことは、送受信部３３０ａ，ＨＤＭＩデータ処理器３０３、１２１を通して、制御部１３０に伝達される。情報の伝送のためには、例えばＨＤＭＩ規格に設定されているＣＥＣ（Consumer Electronics Control)が利用される。
【００２８】
すると、制御部１３０と３３０の処理ルーチン切換部１３０ｃ、３３０ｃが動作し、メディアサーバー１００とテレビジョン受信装置３００の連携が最良の動作状態となるように高解像処理系統を設定する。
【００２９】
図４は、制御部３３０が上記の動作を実行する際のフローチャートを示している。ＨＤＭＩを介して１０８０ｐの画像信号が入力されていることが確認されている（ステップＳ１）。このときは、メニュー画面として「オート」の項目を表示可能である（ステップＳ２）。そして「オート」の項目が選択されて、高画質リンク対応の機器（メディアデータサーバ）からの画像信号を視聴することに意思表示が行われると（ステップＳ３）、処理ルーチン切換部１３０ｃ、３３０ｃが動作し、高画質リンク動作が設定される（ステップＳ４）。メニュー画面４００ｂにおいては、ノーマル（ステップＳ５）或いはモニタの選択も可能である。
【００３０】
図５は、図１に示した画像処理装置において、信号処理部の処理ルーチンが高画質リンクを形成したときの例を示している。図１と同一部には同一符号を付している。このときは、メディアデータサーバー１００の信号処理部１１０内では、信号処理系統が、
ＮＲ／ＩＰ変換部１１３、ＮＲ／ＩＰ変換部１１３の出力を処理する超解像処理部１１４、この超解像処理部１１４の出力をスケール変換するスケーラ１１７、このスケーら１１７の出力が入力されるバックエンドプロセッサ１１８の系統になる。一方、テレビジョン受信装置３００の信号処理器３１０では、セレクタ３１２の出力が、直接、再構成型超解像処理部３１６に入力される。そしてこの再構成型超解像処理部３１６の出力がバックエンドプロセッサ３１８を介して、表示器４００に供給される。
【００３１】
本実施形態をまとめると、メディアデータサーバー１１０は、図１に示すように、信号処理部１１０を有する。
【００３２】
ここで第１の入力画像信号を超解像処理部１１４で超解像処理して４：２：２フォーマットの第１の画像信号を生成する。再構成型超解像処理部１１６とスケーラ１１７は、この第１の画像信号をさらに再構成型超解像処理及びスケール変換して４：４：４フォーマットの第２の画像信号を出力する。さらにこの信号処理部１１０を制御する制御部１３０を有する。
【００３３】
一方受信装置３００も信号処理部３１０を有する。ここで、第２の入力画像信号を超解像処理部３１４で超解像処理して４：２：２フォーマットの第３の画像信号を生成する。再構成型超解像処理部３１６とスケーラ３１７は、この第３の画像信号をさらに再構成型超解像処理及びスケール変換して４：４：４フォーマットの第４の画像信号を出力する。さらにこの信号処理部３１０を制御する制御部３３０を有する。
【００３４】
ここで制御部３３０は、高画質リンク指令部３３０ｅと、送受信部３３０ａと、処理ルーチン切換部３３０ｃを有する。そして、高画質リンク指令部と３３０ｅは、メディアデータサーバーとテレビジョン受信装置が、所定の規格に準拠するインターフェースで接続されている場合に、視聴目的のための外部操作に応じて起動する。
【００３５】
即ち、メニュー画面処理部３３０ｄは、メディアデータサーバーと前記受信装置が所定の規格に準拠するインターフェースで接続されている場合に、画質モードの設定画面に高画質リンクの設定を許すメニューを表示する。そして高画質リンク指令部３３０ｅは、メニュー上で「オート」の設定操作が行われた場合、コマンドを出力する。そして送受信部３３０ａは、前記コマンドを送信する。このコマンドは、図５に示すように第１の画像信号が再構成されることなくスケール変換されて前記４：４：４フォーマットの第２の画像信号で出力されるように前記第１の信号処理部を制御する。
【００３６】
一方、処理ルーチン切換部３３０ｃは、図５に示すように、前記第２の入力画像信号が直接再構成型超解像処理され前記４：４：４フォーマットの第４の画像信号として出力されるように前記第２の信号処理部を設定する。
【００３７】
ここで第１の画像信号は再構成されることがあり、第１の画像信号は数ＬＳＢの微小振幅の画像信号のみ再構成される場合を含む。
【００３８】
この時、第２の再構成型超解像処理は、数ＬＳＢ以上の振幅の画像信号が処理される場合や、全振幅が処理される場合がある。
【００３９】
これにより、高画質リンクが指定された場合に、全体として最良の鮮鋭化処理経路（第１の状態）を自動的に構築することができる。本装置の場合、テレビジョン受信装置３００は、メディアデータサーバー１１０にＨＤＭＩを介して接続された場合、このＨＤＭＩが１０８０ｐ画質モードに対応しているものであるかどうかを確認するだけである。この状態では、処理ルーチンを自動制御することはしない。図３、図４で説明したように、ＨＤＭＩが１０８０ｐ画質モードに対応しているときに、「１０８０ｐ画質モード」のメニュー項目にアクセスでき、「オート」の設定が可能となるだけである。ユーザが、視聴目的のためにメニューから「オート」の設定の決定を行った場合にはじめて信号処理回路の処理ルーチンの制御が実施される。
【００４０】
上記の「オート」状態においては、メディアデータサーバーからの画像信号は、１画素１２ビット単位、４：４：４フォーマットでテレビジョン受信装置３００に入力する。テレビジョン受信装置３００では、４：２：２フォーマット処理のルーチンをスキップさせて、入力画像信号を４：４：４フォーマット処理に導入している。このため、色画質、処理ビット精度に関する劣化がなく、メディアデータサーバーで超解像化された画像信号が忠実にテレビジョン受信装置３００で表示される。また、超解像化処理は、メディアデータサーバーで行われる、つまり信号源の近くで行われるので、ノイズなどの影響を受けにくく、良質の画像を提供することができる。またブルーレイディスクからの再生画像において映画を収録したコンテンツ（２４Ｈｚ）で再生されるものは、６０Ｈｚに変換することなくそのまま処理することができるので、途中に変換（２４→６０Ｈｚ変換は通常はＮＲ／ＩＰ変換部３１３で行っている）が伴わない分、画質の品位を良質に維持できる。なお高画質リンクの画質モードでは、ＨＤＭＩデータ処理は、強制的にＹ、Ｃｂ，Ｃｒで転送をしており、全体のビット精度の向上を図っている。
【００４１】
また、上記のメニューでは、図３に示すように「オート」の他に、「モニタ」、「ノーマル」の各モードを設定することも可能である。
【００４２】
「モニタ」モードが設定された場合は、テレビジョン受信装置３００では、セレクタ３１２の出力が、バックエンドプロセッサ３１８に直接入力される。バックエンドプロセッサ３１８は、「モニタ」モード及び先の「オート」モードでは、画像サイズを、入力のままで、つまり１画素対１ドット（ドット・バイ・ドット）で出力するように固定される。
【００４３】
また「ノーマル」モードが設定された場合は、セレクタ３１２の出力が、ＮＲ／ＩＰ変換部３１３、超解像処理部３１４、再構成型超解像処理部３１６、スケーラ３１７、バックエンドプロセッサ３１８の経路で処理されて、表示器４００に入力される。
【００４４】
上記のように本装置は、高画質リンクに対応している装置のみならず、１０８０ｐ対応ＨＤＭＩで接続可能な装置に対しても柔軟に対応できるように構成されている。
【００４５】
本装置では、超解像処理部３１４、再構成型超解像処理部３１６が使用されている。超解像処理部３１４には、複数フレーム超解像処理、色超解像処理、自己合同性超解像処理が含まれる。再構成型超解像処理技術は、入力画像信号の画素から仮の高解像度の画像信号を生成する。このとき入力画像信号の中の注目画素がカメラ撮像時におけるぼけた成分を含むことを想定して、仮の高解像度の画像信号を入力画像信号と同じ解像度の比較用画像信号に変換する。そして再度、前記オリジナルの入力画像信号と比較用画像信号を比較し、差分成分を得る。この差分成分でさらに仮の高解像の画像信号を補正することで、精度のよい高解像度画像信号を生成している。言い換えると、再構成型超解像処理では、まず初期の高解像度画像を設定し、そこからカメラモデルに基づき観測画像である低解像度画像の各画素値を推定する。推定された画素値と実際の観測画素値の誤差を最小にするように高解像度画像を更新する。収束するまで更新処理を繰り返すことにより、高解像度画像を求める手法が再構成型超解像処理である。
【００４６】
自己合同性超解像技術は、例えば画像の絵柄の注目部分（例えば注目エッジ部分）において、周囲から当該エッジ部分に類似した箇所を検出し、この検出箇所の画像を前記注目エッジ部分に重ねて新たな画像を生成し、画像の鮮鋭化を行う。
【００４７】
色超解像処理技術は、色差信号の情報量を輝度信号の少なくとも１/２の情報量まで復元する。例えば、色差信号と輝度信号の対応関係を見て、同じ輝度信号に対しては、同じ色の色差信号を増設している。
【００４８】
複数フレーム超解像技術は、注目画素の周囲の複数の画素（フレーム間及び同一フレーム内の画素）から、注目画素の本来の値を推定し、注目画素を補正する技術である。再構成型超解像処理技術が基本になっている。
【００４９】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
【符号の説明】
【００５０】
１００・・・メディアデータサーバー、１０３・・・ＨＤＭＩデータ処理器、１１０，３１０・・・信号処理器、１１２、３１２・・・セレクタ、１１３、３１３・・・ＮＲ／ＩＰ変換部、１１４、３１４・・・超解像処理部、１１６，３１６・・・再構成型超解像処理部、１１７、３１７・・・スケーラ、１１８、３１８・・・バックエンドプロセッサ、１２１、３０３・・・ＨＤＭＩデータ処理器、３００・・・テレビジョン受信装置。
【図１】
2013051648.tif 000003
【図２】
2013051648.tif 000004
【図３】
2013051648.tif 000005
【図４】
2013051648.tif 000006
【図５】
2013051648.tif 000007